(57)【要約】      （修正有）【課題】遮水層を形成する際の施工効率および品質管理の向上を可能とした、廃棄物保管容器を提供する。【解決手段】廃棄物を収容するコンクリート容器３と、廃棄物の外面を覆う遮水層４とを備える廃棄物保管容器であって、遮水層４は複数の遮水シート５，５同士を溶着することにより形成されており、矩形状の底部６１と底部６１の周縁から立ち上がる平面視く字状の側部６２とが一体に形成されてなる補助材６が遮水層４の隅角部に配置される。【選択図】図４
0003175668.tif 000002
【実用新案登録請求の範囲】
【請求項１】
複数の遮水シート同士を溶着することにより形成された遮水層を備える廃棄物保管容器であって、
底部と前記底部の周縁から立ち上がる平面視く字状の側部とが一体に形成されてなる補助材が、前記遮水層の隅角部に配置されることを特徴とする、廃棄物保管容器。
【請求項２】
前記遮水層がコンクリート容器の内面に沿って形成されており、
前記補助材は、前記コンクリート容器に埋め込まれた埋込金物を介して前記コンクリート容器に固定されていることを特徴とする、請求項１に記載の廃棄物保管容器。
【考案の詳細な説明】
【技術分野】
【０００１】
本考案は、廃棄物保管容器に関する。
【背景技術】
【０００２】
廃棄物保管容器では、有害物質等が浸出して周囲へ拡散することを防止するために、廃棄物保管容器の底面や側面に沿って遮水層が形成されている。
【０００３】
このような遮水層は、合成樹脂や合成ゴム等により構成された遮水シートにより構成されているのが一般的である。
【０００４】
遮水シート同士は、隙間なく接合する必要があるため、遮水シートの敷設後に加圧試験や負圧試験を実施して、遮水シート同士の接合性の確認する場合がある。
【０００５】
廃棄物保管容器が隅角部を備えている場合には、当該隅角部において、比較的硬い遮水シートを現場合わせで折り曲げながら溶着する必要があり、その作業に手間を要していた。
【０００６】
また、隅角部における遮水シート同士の溶着は、形状が複雑なため、遮水シートの溶着性能を確認するための加圧試験や負圧試験を行うことが困難であった。そのため、目視等により確認する必要があり、その作業に手間を要していた。
【考案の概要】
【考案が解決しようとする課題】
【０００７】
本考案は、前記の問題点を解決することを目的とするものであり、遮水層を形成する際の施工効率および品質管理の向上を可能とした、廃棄物保管容器を提案することを課題とする。
【課題を解決するための手段】
【０００８】
前記課題を解決するために、本考案は、複数の遮水シート同士を溶着することにより形成された遮水層を備える廃棄物保管容器であって、底部と前記底部の周縁から立ち上がる平面視く字状の側部とが一体に形成されてなる補助材が、前記遮水層の隅角部に配置されていることを特徴としている。
【０００９】
かかる廃棄物保管容器によれば、遮水層の隅角部に対して補助材が配設されているため、当該隅角部において遮水シートを複雑に折り曲げながら溶着する必要がない。そのため、遮水シート同士の接合を、隅角部においても溶着線が直線となるように行うことが可能となり、施工効率を向上させることが可能である。なお、補助材は、コンクリート容器と遮水層の間、又は、遮水層の遮水シート上に配置される。
【００１０】
また、遮水シート同士の接合性を加圧試験や負圧試験により確認することが可能なため、品質管理も向上する。
補助材は、予め所定の形状に形成されているため、現場合わせによる煩雑な作業を省略することができる。
【００１１】
前記遮水層がコンクリート容器の内面に沿って形成されており、前記補助材が、前記コンクリート容器に埋め込まれた埋込金物を介して前記コンクリート容器に固定されていれば、補助材の設置作業を容易に行うことができる。
【考案の効果】
【００１２】
本考案の廃棄物保管容器によれば、遮水層を形成する際の施工効率および品質管理の向上が可能となる。
【図面の簡単な説明】
【００１３】
【図１】本考案の実施形態に係る廃棄物保管容器を示す斜視図である。
【図２】図１の廃棄物保管容器の概要を示す断面図である。
【図３】遮水層の隅角部を外面から望む斜視図。
【図４】（ａ）は補助材のコンクリート容器への取り付け状況を示す斜視図、（ｂ）は遮水シートの敷設状況を示す斜視図である。
【考案を実施するための形態】
【００１４】
本実施形態の廃棄物保管容器１は、図１および図２に示すように、廃棄物２を収容するコンクリート容器３と、廃棄物２の外面を覆う遮水シート５により形成された遮水層４とを備えている。
【００１５】
廃棄物２は、放射性物質を含有する下水道汚泥、焼却灰、土砂、除草等であって、大型の土のう袋等に袋詰めされている。
なお、廃棄物２は、必ずしも土のう袋に袋詰めされている必要はなく、他の容器（例えば、箱や袋等）に収容されていてもよいし、直接遮水シート５により覆われていてもよい。
【００１６】
コンクリート容器３は、廃棄物２を収容した状態で密封する箱型の容器であり、廃棄物２の底部を覆う底版３１と、側面を覆う側壁３２と、上面を覆う蓋３３とを備えている。
【００１７】
本実施形態では、プレキャストコンクリート製のＬ型擁壁を並設することにより、コンクリート容器３の底版３１と側壁３２とを形成している。
なお、コンクリート容器３の底版３１および側壁３２を形成するプレキャストコンクリート部材は、Ｌ型擁壁に限定されるものではなく、例えば、逆Ｔ型擁壁でもよいし、プレキャスト製の床版と壁部材とを組み合わせることにより構成してもよい。また、底版３１および側壁３２は、現場打ちコンクリートにより形成してもよい。
【００１８】
蓋３３は、側壁３２，３２の上端に横架された複数の板状の蓋部材からなる。なお、蓋３３は、一枚の板材を配置することにより形成してもよいし、現場打ちコンクリートにより形成してもよい。
【００１９】
遮水層４は、コンクリート容器３の内面に沿って形成されており、廃棄物２の外周を密閉した状態で覆っている。
本実施形態では、廃棄物２の下方、側方および上方に複数の遮水シート５，５，…を配設し、これらの遮水シート５，５同士を溶着することにより遮水層４を形成している。
遮水シート５の材質は限定されるものではないが、例えば、天然ゴム、合成ゴム、ポリエチレン等により構成されたものを使用する。
【００２０】
遮水層４の隅角部は、図３に示すように、補助材６により外面が覆われている。
補助材６は、遮水性を備えた部材であって、矩形状の底部６１とこの底部６１の周縁から立ち上がる平面視く字状の側部６２とが一体に形成されている。本実施形態の補助材６は、遮水シート５と同じ材料により形成されているが、補助材６を構成する材料は限定されるものではない。
【００２１】
補助材６は、コンクリート容器３と遮水層４との間に配設されており、コンクリート容器３に埋め込まれた埋込金物（図示せず）を介してコンクリート容器３に固定されている。なお、埋込金物の構成および配置は、補助材６の遮水性を維持した状態で固定することが可能であれば限定されるものではない。
【００２２】
廃棄物保管容器１の構築は、次の通りである。
まず、整地された地盤上に複数のＬ型擁壁を配置することによりコンクリート容器３の底版３１と側壁３２を構築する。
【００２３】
次に、コンクリート容器３の内側の隅角部に、補助材６を固定する。
補助材６は、コンクリート容器３に予め埋め込まれた埋込金物に固定する。なお、補助材６の外面には、埋込金物の位置に対応して図示しないアタッチメントが取り付けられており、このアタッチメントを埋込金物に取り付けることにより、補助材６のコンクリート容器３への固定が完了する。
【００２４】
続いて、コンクリート容器３の内部に遮水シート５を敷設する。
遮水シート５は、隣り合う他の遮水シート５と端部同士が重なり合うように敷き並べた後、図示しない自動溶着機等により遮水シート５，５の端部同士を溶着する。
なお、遮水シート５，５同士の溶着時の熱により、補助材６と遮水シート５とが溶着される。
【００２５】
遮水シート５を敷設したら、土のう袋に袋詰めされた廃棄物２を遮水シート５の上面に配置するとともに、この廃棄物２の側面と上面を遮水シート５により覆う。
そして、コンクリート容器３に蓋３３をすることで、施工が完了する。
【００２６】
本実施形態の廃棄物保管容器１によれば、遮水層４の隅角部に対して補助材６が配設されているため、当該隅角部において遮水シート５を複雑に折り曲げながら溶着する必要がない。そのため、図４の（ｂ）に示すように、遮水シート５，５同士の接合（溶着）を、隅角部においても溶着線５１が直線となるように行うことが可能となる。そのため、施工効率を大幅に向上させることが可能となる。
【００２７】
また、溶着線５１が直線を呈しているため、遮水シート５，５同士の接合性（止水性能）を確認するための品質管理試験を、加圧試験や負圧試験等により確実に実施することが可能となり、品質管理も向上する。
【００２８】
補助材６は、予め所定の形状に形成されているため、現場合わせによる煩雑な作業を省略することができる。
また、補助材６の固定を、埋込金物を介して行うことで、補助材６の設置作業を容易に行うことができる。
遮水シート５と補助材６とを溶着することで、止水性が向上する。
【００２９】
また、廃棄物２は、外周囲が遮水層４により覆われているため、外部から水分（雨水や地下水等）が浸透することがない。また、遮水層４内から水分が流出することもないため、水分の流出とともに汚染物質が流出することもない。
【００３０】
また、廃棄物保管容器１は、廃棄物２をコンクリート容器３により密閉しているため、放射線を遮蔽した状態で、安全に廃棄物２を保管することができる。
【００３１】
コンクリート容器３は、プレキャスト部材を組み合わせることにより構成されているため、短期間で形成することができる。
そのため緊急性を要する場合であっても、廃棄物２を早期に仮置きすることができる。
【００３２】
以上、本考案に係る実施の形態について説明した。しかし、本考案は、前述の実施形態に限られず、前記の各構成要素については、本考案の趣旨を逸脱しない範囲で、適宜変更が可能である。
【００３３】
例えば、前記実施形態では、コンクリート容器の内部に遮水層を形成して、廃棄物を保管する場合について説明したが、コンクリート容器は必要に応じて形成すればよく、省略してもよい。地中に直接遮水層を形成する場合に、本発明の廃棄物保管容器を採用してもよい。
【００３４】
前記実施形態では、埋込金物により補助材をコンクリート容器に固定したが、補助材はコンクリート容器に接着してもよく、必ずしも埋込金物により固定する必要はない。
補助材の端部において、補助材と遮水シートを溶着してもよい。
【００３５】
前記実施形態では、補助材をコンクリート容器と遮水層との間に配設する場合について説明したが、補助材は遮水シート上（遮水層と廃棄物との間）に配設してもよい。
【符号の説明】
【００３６】
１    廃棄物保管容器
２    廃棄物
３    コンクリート容器
４    遮水層
５    遮水シート
５１  溶着線
６    補助材
【図１】
0003175668.tif 000003
【図２】
0003175668.tif 000004
【図３】
0003175668.tif 000005
【図４】
0003175668.tif 000006